(57)【要約】【課題】  本発明は、投与用チューブが取り付けられ且つ吊り下げ状態の輸液容器に着脱することができる輸液容器用遮光カバーを提供することを課題とする。【解決手段】輸液容器を被覆できる略矩形状の遮光性袋からなり、その下辺部に下辺開口部２１が形成されているカバー本体２を備え、カバー本体２に、輸液容器を挿入できる上下開口部２４が形成され、且つ上下開口部２４を開閉する開閉手段３３が設けられている輸液容器用遮光カバー。【選択図】      図１
2006271760.tif 000002
【特許請求の範囲】
【請求項１】
輸液容器を被覆できる略矩形状の遮光性袋からなり、その下辺部に下辺開口部が形成されている輸液容器用遮光カバーであって、
カバー本体に、前記輸液容器を挿入できる上下開口部が形成され、且つ前記上下開口部を開閉する開閉手段が設けられていることを特徴とする輸液容器用遮光カバー。
【請求項２】
輸液容器を被覆できる略矩形状の遮光性袋からなり、その下辺部に下辺開口部が形成されていると共に、その上辺部に前記輸液容器の一部分を外出させる部分開口部と前記輸液容器の肩部に係止される係止部が形成されているカバー本体を備える輸液容器用遮光カバーであって、
前記カバー本体の一方の側辺部には、前記輸液容器を挿入できる側辺開口部が形成され、且つ前記側辺開口部を開閉する開閉手段が設けられていることを特徴とする輸液容器用遮光カバー。
【請求項３】
輸液容器を被覆できる略矩形状の遮光性袋からなり、その下辺部に下辺開口部が形成されていると共に、その上辺部に前記輸液容器の一部分を外出させる部分開口部と前記輸液容器の肩部に係止される係止部が形成されているカバー本体を備える輸液容器用遮光カバーであって、
前記カバー本体の上辺中途部から下辺中途部にかけて、前記輸液容器を挿入できる中間開口部が形成され、且つ前記中間開口部を開閉する開閉手段が設けられていることを特徴とする輸液容器用遮光カバー。
【請求項４】
前記側辺開口部又は前記中間開口部を開口させた際、側辺開口部又は中間開口部が、前記部分開口部と連続開口するように形成されている請求項２又は３記載の輸液容器用遮光カバー。
【請求項５】
前記開閉手段が、スライドファスナーである請求項１〜４の何れかに記載の輸液容器用遮光カバー。
【発明の詳細な説明】
【技術分野】
【０００１】
本発明は、輸液容器に被せて使用され、紫外線などの光線による輸液劣化を防止する輸液容器用遮光カバーに関する。
【背景技術】
【０００２】
ビタミン類やアミノ酸などを含有する輸液は、光によって変質し易く、紫外線のみならず、可視光線の一部にまで遮光することが求められる。この点、輸液容器自体は、液面が見えるように透明なフィルム袋からなるため、流通保管時にはダンボールなどの遮光性のある包材に梱包されている。しかし、使用時には輸液容器内に光線が入射するため、輸液容器に収納されたビタミン類などの変質が問題となる。
そこで、輸液を投与する際には、輸液容器の周囲を覆うように遮光カバーを装着することが行われている。
かかる輸液容器用遮光カバーとしては、例えば、特開２００３−２７５２８０公報記載のものが知られている。該公報の遮光カバー２００の形態は、図１２に示すように、輸液容器１００よりも大きい略矩形状の２枚の遮光フィルムを重ね合わせ、その下辺部２００ａ及び上辺中央部２００ｂを除いて、上辺部２００ｃ及び両側辺部２００ｄ，２００ｄの略３辺部を熱シールすることによって袋状に形成されたものである。かかる遮光カバー２００は、下辺開口部２０１から輸液容器１００を挿入し、輸液容器１００の吊下げ片１０２を部分開口部２０２から外に出してこれを支持用支柱のフックに引掛けることにより、遮光カバー２００の上辺シール部２０３が輸液容器１００の肩部１０３に係止され、輸液容器１００を被覆することができる。そして、この輸液容器１００の吊下げ片１０２に設けられた混注口１０１（混注ポート）から注射器を用いてビタミン剤などを注入し、輸液容器１００の下部に設けられた投与口１０４（投与ポート）に投与用チューブ１０６を取り付けることにより、輸液の投与が行われる。
【０００３】
しかしながら、上記従来の遮光カバーは、輸液容器への装着作業が非常に煩雑である。すなわち、輸液容器は比較的重量のある柔軟な袋体からなり、他方、遮光カバーの下辺開口部は比較的狭口なので、輸液容器を遮光カバーの下辺開口部から内部へ挿入することが困難である。更に、遮光カバーの内部に輸液容器を入れた後も、遮光カバーの下辺開口部から手を入れながら輸液容器の吊下げ片や混注口を遮光カバーの部分開口部から外部へ出さなくてはならない。
また、上記従来の遮光カバーは、投与用チューブを取り付け且つ吊り下げた状態では、遮光カバーを輸液容器から取り外すことができない。
【０００４】
【特許文献１】特開２００３−２７５２８０公報
【発明の開示】
【発明が解決しようとする課題】
【０００５】
そこで、本発明は、輸液容器に容易に装着することができる輸液容器用遮光カバーを提供することを第１の課題とする。さらに、本発明は、投与用チューブが取り付けられ且つ吊り下げ状態の輸液容器に着脱することができる輸液容器用遮光カバーを提供することを第２の課題とする。
【課題を解決するための手段】
【０００６】
上記課題を解決するための手段として、本発明は、輸液容器を被覆できる略矩形状の遮光性袋からなり、その下辺部に下辺開口部が形成されているカバー本体を備え、カバー本体に、輸液容器を挿入できる上下開口部が形成され、且つ上下開口部を開閉する開閉手段が設けられている輸液容器用遮光カバーを提供する。
【０００７】
上記輸液容器用遮光カバーは、カバー本体の上辺部から下辺部にかけて上下開口部が形成されているので、下辺開口部のみならず、カバー本体の上下方向に於いても開口させることができる。よって、従来品に比して、開口部分が大きくなるので、遮光カバーに輸液容器を容易に挿入することができる。そして、遮光カバーを被せた後は、開閉手段を通じて上下開口部を閉塞することにより、従来品と同様に、遮光カバーにて輸液容器を略完全に被覆することができる。
【０００８】
さらに、本発明は、輸液容器を被覆できる略矩形状の遮光性袋からなり、その下辺部に下辺開口部が形成されていると共に、その上辺部に輸液容器の一部分を外出させる部分開口部と輸液容器の肩部に係止される係止部が形成されているカバー本体を備え、カバー本体の一方の側辺部に、輸液容器を挿入できる側辺開口部が形成され、且つ側辺開口部を開閉する開閉手段が設けられている輸液容器用遮光カバーを提供する。
【０００９】
上記輸液容器用遮光カバーは、一方の側辺部に側辺開口部が形成されているので、下辺開口部のみならず、側辺部に於いても開口させることができる。よって、従来品に比して、開口部分が大きくなるので、遮光カバーに輸液容器を容易に挿入することができる。そして、遮光カバーを被せた後は、開閉手段を通じて側辺開口部を閉塞することにより、従来品と同様に、遮光カバーにて輸液容器を略完全に被覆することができる。
【００１０】
また、本発明は、輸液容器を被覆できる略矩形状の遮光性袋からなり、その下辺部に下辺開口部が形成されていると共に、その上辺部に輸液容器の一部分を外出させる部分開口部と前記輸液容器の肩部に係止される係止部が形成されているカバー本体を備え、カバー本体の上辺中途部から下辺中途部にかけて、輸液容器を挿入できる中間開口部が形成され、且つ中間開口部を開閉する開閉手段が設けられている輸液容器用遮光カバーを提供する。
【００１１】
上記輸液容器用遮光カバーは、中間開口部が形成されているので、下辺開口部のみならず、カバーを上下方向に開口させることができる。よって、従来品に比して、開口部分が大きくなるので、遮光カバーに輸液容器を容易に挿入することができる。遮光カバーを被せた後は、開閉手段を通じて中間開口部を閉塞することにより、従来品と同様に、遮光カバーにて輸液容器を略完全に被覆することができる。
【００１２】
本発明の好ましい態様では、上記側辺開口部又は中間開口部を開口させた際、側辺開口部又は中間開口部が、部分開口部と連続開口するように形成されている上記輸液容器用遮光カバーであり、かかる遮光カバーは、側辺開口部又は中間開口部を開口させると部分開口部に連なって開口するため、該部分開口部から吊下げ片を外出させて吊下げ状態とし且つ投与用チューブが取付けられた輸液容器に、遮光カバーを被せることもできる。
【００１３】
さらに、本発明の好ましい態様では、上記開閉手段がスライドファスナーである上記輸液容器用遮光カバーであり、かかる遮光カバーは、スライダーを移動させるだけで側辺開口部又は中間開口部を開閉でき、開閉作業を簡易に行うことができる。
【発明の効果】
【００１４】
本発明の輸液容器用遮光カバーは、従来品に比して、輸液容器を容易に挿入することができる。従って、本発明の遮光カバーは、輸液容器への装着作業を素早く行うことができる。
また、本発明の好ましい態様に係る遮光カバーは、吊下げ片を外出させて吊下げ状態とし且つ投与用チューブが取り付けられた輸液容器に着脱することもできる。
【発明を実施するための最良の形態】
【００１５】
以下、本発明について、図面を参照しつつ具体的に説明する。
（第１実施形態）
第１実施形態は、側辺開口部が形成された輸液容器用遮光カバーに関する。
図１に於いて、１は、輸液容器に被せてこれを被覆できる略矩形状の遮光性袋からなるカバー本体２を備える輸液容器用遮光カバーを示す。
カバー本体２は、その下辺部２ａに輸液容器を挿入できる下辺開口部２１が形成され、その上辺部２ｂに輸液容器の一部分（混注口及び／又は吊下げ片など）を外出させる部分開口部２２と輸液容器の肩部に係止される係止部２３が形成されていると共に、その側辺部２ｃには、輸液容器を挿入できる側辺開口部２４が形成され、且つこの側辺開口部２４を開閉する開閉手段が設けられている。側辺開口部２４は、カバー本体２の上辺部２ｂの一端から下辺部２ａの一端にかけて、上下方向に開口した上下開口部に相当する。
【００１６】
具体的には、このカバー本体２は、輸液容器よりも大きい略矩形状の表裏２枚の遮光性フィルム５１，５２からなり、重ね合わせた表裏フィルム５１，５２の一方の側辺部２ｄ（以下、一側辺部２ｄという）及び該一側辺部２ｄに連続する上辺部２ｂの一部（以下、一上辺部２ｂ’という）が熱シールされている。従って、カバー本体２の一側辺部２ｄ側は、略逆Ｌ字状に封止されている。尚、この封止された一上辺部２ｂ’は、遮光カバー１を輸液容器に被せた際に、輸液容器の肩部に係止される係止部２３として機能する。
一方、表裏フィルム５１，５２の下辺部２ａ、他方の側辺部２ｃ（以下、他側辺部２ｃという）及び該他側辺部２ｃに連続する上辺部２ｂの一部（以下、他上辺部２ｂ”という）は、封止されておらず、各辺のそれぞれに下辺開口部２１、側辺開口部２４及び上辺開口部２５が形成されている。このうち側辺開口部２４には、開閉手段としてスライドファスナー３が取り付けられている。さらに、上辺開口部２５には、上辺部２ｂ中央部に部分開口部２２を確保するため、一上辺部２ｂ’のシール端との間の一部分を除いて、開閉手段として面ファスナー４が取り付けられている。かかる構成により、カバー本体２の下辺開口部２１及び部分開口部２２は、完全に開口しており、一方、側辺開口部２４及び上辺開口部２５は、開閉手段を介して開閉可能とされている。
尚、便宜上、各図に於いてシールされた部分を細斜線で、開閉手段が設けられた部分を薄墨塗りで示す。
【００１７】
スライドファスナー３は、公知のものであって、例えば、図２（ａ）に示すように、凸鉤状の長状体からなる嵌合部材３１と、凹鉤状の長状体からなる被嵌合部材３２と、移動させることにより両部材３１，３２を嵌合させるスライダー３３とを備えている。この嵌合部材３１は、表フィルム５１の他側辺部２ｃの内面に上下直線状に固着されており、被嵌合部材３２は、裏フィルム５２の他側辺部２ｃの内面に上下直線状に固着されている。スライダー３３は、表裏フィルム５１，５２の双方に抱着するように取り付けられ、他側辺部２ｃの上端に形成されたストッパー部３４（表裏フィルム５１，５２の部分的な熱シール部）によって抜止めされている。そして、このスライダー３３を下方に移動させることにより、嵌合部材３１と被嵌合部材３２とが嵌合し、側辺開口部２４が閉塞される。
面ファスナー４も公知のものであって、例えば、図２（ｂ）に示すように、表フィルム５１の内面に設けられ、且つ凸鉤状の鉤部が無数に突設された係合面部材４１と、裏フィルム５２の内面に設けられ、且つ鉤部が係合する輪状のループ部が無数に突設された被係合面部材４２とを備えている。
【００１８】
遮光カバー１に使用される表裏フィルム５１，５２は、ビタミン類などの変質を防止できる適度な遮光性を有するものであれば特に限定されず、例えば、ポリエチレンテレフタレートフィルムなどのベースフィルムに、紫外線吸収遮断処理として設けられた紫外線吸収遮断層と、着色インキ層と、熱シールするためのシーラント層とを備える積層フィルムなどが例示される。該遮光フィルムの遮光程度についても、特に限定されないが、ビタミン類の変質を十分に抑制でき、輸液量の減り具合を遮光カバーを通じて視認できることから、例えば波長２００〜５００ｎｍの光線透過率（ＪＩＳ  Ｋ ７１０５）が５％以下、５００〜８００ｎｍの光線透過率が６０％以下である遮光フィルムや、波長２００〜５３０ｎｍの光線透過率が５％以下、波長６００〜８００ｎｍの光線透過率が７０％以上である遮光フィルムなどが好ましく例示される。
【００１９】
上記輸液容器用遮光カバー１は、図３に示すように、スライドファスナー３を開けると側辺開口部２４が開口するため、この側辺開口部２４が下辺開口部２１に連なり、その結果、側辺開口部２４から下辺開口部２１に至る部分が完全に大きく開口する。かかる大開口が形成される本発明の遮光カバー１は、この開口部分から輸液容器１００を容易に挿入することができる。さらに、面ファスナー４を開けると上辺開口部２５も開口するため、この上辺開口部２５が部分開口部２２に連なり、その結果、部分開口部２２を含む部分が大きく開口するため、輸液容器１００の吊下げ片１０２や混柱口１０１を部分開口部２２から外出させることも容易に行える。
以上のようにして遮光カバー１を輸液容器１００に被せた後、スライドファスナー３及び面ファスナー４を用いて側辺開口部２４及び上辺開口部２５を閉じれば、従来品と同様に、輸液容器を遮光カバー１にて略完全に被覆することができる。事後、輸液容器１００の混注口１０１からビタミン剤などを注入し、輸液容器１００の吊下げ片１０２を支柱等（図示せず）に掛けることにより、遮光カバー１の係止部２３及び閉塞された上辺開口部２５が輸液容器１００の肩部１０３に引か掛かる。よって、遮光カバー１はずれ落ちることなく輸液容器に装着される。最後に、輸液容器１００の投与口１０４に投与用チューブを取り付けることにより、輸液投与を行うことができる。
尚、側辺開口部２４の開閉手段は、スライドファスナー３であるため、スライダー３３を上下移動させるだけで側辺開口部２４を簡単に開閉することができる。
【００２０】
次に、本実施形態の変形例を説明する。
図４（ａ）に示すものは、スライドファスナー３のストッパー部３４が他側辺部２ｃの下端部に設けられているものである。かかる構成の遮光カバー１は、スライダー３３を上方に移動させることにより、側辺開口部２４が閉塞される。
この変形例に係る遮光カバー１は、スライドファスナー３を開けると、同図（ｂ）に示すように、側辺開口部２４が上辺開口部２５から部分開口部２２に連続し、その結果、側辺開口部２４から部分開口部２２に至る部分が完全に開口することとなる。かかる大開口が形成される変形例に係る遮光カバー１も、この部分から輸液容器を容易に挿入することができる。また、この変形例に係る遮光カバー１は、側辺開口部２４から部分開口部２２に至るまで開口させることができるので、例えば、図５に示すように、輸液容器１００の下方から遮光カバー１を被せることが可能となる。
【００２１】
次に、図６に示す変形例は、側辺開口部２４と上辺開口部２５の開閉手段が同一の手段で構成されたものである。すなわち、上記実施形態では、側辺開口部２４と上辺開口部２５の開閉手段はそれぞれ異なるが（スライドファスナー３と面ファスナー４）、本変形例は、両開口部２４，２５が一つの開閉手段で開閉できるようになっているものである。具体的には、例えば、１つのスライドファスナー３が、側辺開口部２４から上辺開口部２５に至るまで設けられている。この変形例によれば、１つのスライダー３３を移動させることにより、同図（ｂ）に示すように、側辺開口部２４及び上辺開口部２５を一時に開閉することができるので好ましい態様である。この場合、スライダー３３移動を良好に移動させるため、カバー本体２の上隅部分は、緩やかな曲線状に形成されていることが好ましい。
【００２２】
次に、図７に示す変形例は、下辺開口部２１の開口幅が比較的小さく（例えば、輸液容器が挿入できない大きさであって投与用チューブを挿入可能な大きさ等）形成されているものである。かかる変形例に於いても、本発明は下辺開口部２４に連続する側辺開口部２４が形成されているので、この側辺開口部２４を開閉手段により開けることにより、輸液容器を容易に挿入することができる。また、輸液容器を挿入した後、側辺開口部２４を閉じることにより、下辺開口部２１を通じて入り込む反射光などを、十分に遮光することができるので好ましい態様である。
【００２３】
次に、図８に示す変形例は、側辺開口部２４のスライドファスナー３のスライダー３３が、表裏フィルム５１，５２の少なくとも何れか一方から着脱可能に構成されたものである。上記各実施形態に示す例では、表裏フィルム５１，５２の双方に抱着されたスライダー３３は、側辺開口部２４を開口するべく移動させた際、ストッパー部３４によって上下端部の何れかで止まっているので、側辺開口部２４は完全に開口しない（表裏フィルム５１，５２が他側辺部２ｃに於いて完全に分離しない）。この点、本変形例に係る遮光カバー１は、スライダー３３が少なくとも一方のフィルム５１から外れるので、側辺開口部２４は完全に開口する。尚、スライダー３３は、表裏フィルム５１，５２から完全に外れるものでもよいが、表裏フィルム５１，５３の何れか一方にストッパーを設け、図８に示すように、開口時に、スライダー３３が一方のフィルム５２に抜止めされるように構成されていることが好ましい。
本変形例に係る遮光カバー１は、下辺開口部２１から側辺開口部２４、更に、上辺開口部２５から部分開口部２２に至る部分が、完全に開口する（いわゆる半開き状態となる）。よって、本変形例に係る遮光カバー１は、図示したように、表裏フィルム５１，５２を半開き状態にして、投与用チューブ１０６が取付けられ且つ支柱等（図示せず）などに吊り下げた状態の輸液容器１００に、被せることが可能となる。一方、遮光カバー１の各開口部２４，２５を閉塞して輸液投与を行っている最中であっても、開閉手段によって再び側辺開口部２４などを開口させて半開き状態にすれば、遮光カバー１を容易に取り外すことができる。従って、輸液の残量を確認したい場合、或いは、時間の経過によって室内が暗くなり、もはや遮光カバー１で輸液容器１００を覆う必要がなくなった場合などに、輸液投与を継続したままで遮光カバー１を容易に取り外すことができる。
【００２４】
尚、上記各実施形態では、側辺開口部２４の開閉手段として、スライドファスナー３を用いることが例示されているが、これに代えて、面ファスナー４、自着性フィルム又は自着性樹脂コーティング、凹凸ファスナーなどを側辺開口部２４の開閉手段として用いることも可能である。自着性フィルム又は自着性樹脂コーティングとしては、自己付着性又は表面弱粘着性を有する樹脂であれば特に限定されず、ポリオレフィンエラストマー、ポリウレタンエラストマーなどのエラストマー樹脂、軟質ポリ塩化ビニル、酢酸ビニル系樹脂などが例示される。自着性フィルム又は自着性樹脂コーティングは、表裏フィルム５１，５２の内面に添着するように設けられる。尚、フィルム５１，５２自体を自着性フィルムで構成したり、或いはフィルム５１，５２の内面全体に自着性樹脂コーティングを設けてもよい。また、凹凸ファスナーは、スライダー３３を有しないスライドファスナー３に類似するものであり、凸鉤状の長状体からなる嵌合部材と凹鉤状の長状体からなる被嵌合部材からなり、量部材は、表裏フィルム５１，５２の内面にそれぞれ対向して設けられる。このような凹凸ファスナーの具体例としては、例えば、ジップロック［旭化成ライフ＆リビング（株）の登録商標］が例示される。これらの開閉手段は、スライダー３３のような表裏フィルム５１，５２の双方に抱着する部材を有しないので、側辺開口部２４を完全に開口することができる。よって、本変形例に係る遮光カバー１も同様に半開き状態にできるので、投与用チューブ１０６が取付けられ且つ吊り下げた状態の輸液容器１００に、遮光カバー１を装着したり、取り外したりすることが可能となる。
もっとも、スライドファスナー３は、これらの開閉手段に比して、スライダー３３が設けられているため、非常に簡単に開閉することができる。
【００２５】
また、上記各実施形態では、上辺開口部２５の開閉手段として、面ファスナー４を用いることが例示されているが、これに代えて、スライドファスナー３（スライダー３３が着脱可能なものも含む）、凹凸ファスナー、自着性フィルム又は自着性樹脂コーティングなどを上辺開口部２５の開閉手段として用いることも可能である。
【００２６】
さらに、上記各実施形態では、表裏フィルム５１，５２の一上辺部２ｂ’が熱シールされているが、一上辺部２ｂ’を熱シールせず、この部分に面ファスナー４などの上記各開閉手段を適宜選択して設けることも可能である。
【００２７】
（第２実施形態）
第２実施形態は、中間開口部が形成された輸液容器用遮光カバーに関する。以下、主として上記第１実施形態で示した各例と異なる部分を説明し、同様の構成については、用語及び図番を援用し、その説明を省略する。
図９に於いて、カバー本体２は、その下辺部２ａに輸液容器を挿入できる下辺開口部２１が形成され、その上辺部２ｂに輸液容器の一部（混注口及び／又は吊下げ片など）を外出させる部分開口部２２と輸液容器の肩部に係止される係止部２３が形成されていると共に、上辺中央部から下辺中央部にかけて、輸液容器を挿入できる中間開口部２６が形成され、且つ中間開口部２６を開閉する開閉手段が設けられている。該中間開口部２６は、カバー本体２の上辺部２ｂの中途部分から下辺部２ａの中途部分にかけて、上下方向に開口した上下開口部に相当する。
【００２８】
具体的には、このカバー本体２は、重ね合わせた表裏フィルム５１，５２の一側辺部２ｄ及び一上辺部２ｂ’が熱シールされ、更に、表裏フィルム５１，５２の他側辺部２ｃ及び他上辺部２ｂ”が熱シールされている。従って、カバー本体２の一側辺部２ｄ側及び他側辺部２ｃ側は、それぞれ対面するように略逆Ｌ字状に封止されている。尚、この封止された一上辺部２ｂ’及び他上辺部２ｂ”は、輸液容器の肩部に係止される係止部２３として機能する。
カバー本体２を構成する表フィルム５１は、幅方向略中央に於いて部分開口部２２から下辺開口部２１に達するまで上下方向に分断され、中間開口部２６が形成されている。この分断されたフィルム片５１’，５１”の端部は上下帯状に重ね合わされている。この端部重ね面の一方面に係合面部材が取り付けられ、且つ他方面に被係合面部材が取り付けられており、かかる面ファスナー４によって中間開口部２６は、開閉可能とされている。
【００２９】
上記輸液容器用遮光カバー１は、面ファスナー４を開けると、開口した中間開口部２６が部分開口部２２及び下辺開口部２１に連なり、その結果、部分開口部２２から中間開口部２６、及び下辺開口部２１に至る部分が完全に大きく開口する。よって、本実施形態に係る遮光カバー１は、図１０に示すように、表フィルム５１のフィルム片５１’，５１”を観音開き状態にでき、投与用チューブ１０６が取付けられ且つ吊り下げた状態の輸液容器１００に、遮光カバー１を装着脱することができる。
【００３０】
次に、本実施形態の変形例として、中間開口部２６の開閉手段を面ファスナー４に代えて、スライドファスナー３、凹凸ファスナー、自着性フィルム又は自着性樹脂コーティングなどの他の開閉手段に変更することも可能である。スライドファスナー３を用いる場合には、スライダー３３を少なくとも一方のフィルム片５１’から着脱可能に構成すれば、部分開口部２２から下辺開口部２１に至るまで完全に開口させることができる。尚、スライダー３がフィルム片５１’の上下で抜止めされているスライドファスナー３を用いた場合に於ける輸液容器１００への装着方法は、上記第１実施形態と同様であるため、その説明は省略する。
【００３１】
さらに、本実施形態では、表裏フィルム５１，５２の一上辺部２ｂ’及び他上辺部２ｂ”が熱シールされているが、一上辺部２ｂ’及び／又は他上辺部２ｂ”を熱シールせず、この部分に面ファスナー４などの開閉手段を適宜選択して設けることも可能である。
また、本実施形態では、中間開口部２６は、上辺中央部から下辺中央部にかけて開口されているが、必ずしも中央部に形成されている場合に限られず、何れかの側辺部２ｃ，２ｄ寄りに形成されていてもよい。
【００３２】
（他の実施形態）
上記第１実施形態及び第２実施形態に於いて、カバー本体２の部分開口部２２は、輸液容器１００の吊下げ片１０２と混注口１０１が外出するように形成されているが、図１１（ａ）に示すように、混注口１０１のみが外出しうる大きさに形成されているものでも構わない。この場合、支柱などの固定側に掛けるようにするため、遮光カバー２の上方に、挿入される輸液容器１００の吊下げ片１０２に対応するように、孔部２７を穿設しておくことが好ましい。また、特に図示しないが、カバー本体２の部分開口部２２は、輸液容器１００の吊下げ片１０２のみが外出するように形成されていてもよい。
さらに、同図（ｂ）に示すように、部分開口部２２を有しない遮光カバー１、すなわち、カバー本体２の上辺部２ｂ全体が閉塞されている構成の遮光カバー１も本発明に含まれる。
また、上記第１実施形態及び第２実施形態に於いて、一側辺部２ｄなどの封止手段として熱シールが用いられているが、封止手段は熱シールに限られず、接着剤や溶剤などで接着することもでき、又、１枚のフィルムを２つに折り畳み、この折畳み箇所を一側辺部２ｄとすることも可能である。
また、必要に応じて下辺開口部２１に開閉手段を具備させてもよい。
【図面の簡単な説明】
【００３３】
【図１】本発明の輸液容器用遮光カバーの第１実施形態を示す斜視図。
【図２】（ａ）は、図１のＡ−Ａ端断面図、（ｂ）は、図１のＢ−Ｂ線端面図。
【図３】第１実施形態の遮光カバーの使用状態を示す斜視図。
【図４】（ａ）、（ｂ）共に、第１実施形態の変形例に係る遮光カバーを示す斜視図。
【図５】図４の遮光カバーの使用状態を示す斜視図。
【図６】（ａ）は、第１実施形態の変形例に係る遮光カバーを示す斜視図、（ｂ）は、その使用状態を示す斜視図。
【図７】第１実施形態の変形例に係る遮光カバーを示す斜視図。
【図８】第１実施形態の変形例に係る遮光カバーの使用状態を示す斜視図。
【図９】第２実施形態の遮光カバーを示す斜視図。
【図１０】第２実施形態の遮光カバーの使用状態を示す斜視図。
【図１１】その他の実施形態の遮光カバーを示す斜視図。
【図１２】従来の遮光カバーの使用状態を示す斜視図。
【符号の説明】
【００３４】
１…輸液容器用遮光カバー、２…カバー本体、２ａ…カバー本体の下辺部、２ｂ…カバー本体の上辺部、２ｂ’…カバー本体の一上辺部、２ｂ”…カバー本体の他側辺部、２ｃ…カバー本体の他側辺部、２ｄ…カバー本体の一側辺部、２１…下辺開口部、２２…部分開口部、２３…係止部、２４…側辺開口部、２５…上辺開口部、２６…中間開口部、３…スライドファスナー、３１…嵌合部材、３２…被嵌合部材、３３…スライダー、３４…ストッパー、４…面ファスナー、４１…係合面部材、４２…被係合面部材、５１…表フィルム、５２…裏フィルム
【図１】
2006271760.tif 000003
【図２】
2006271760.tif 000004
【図３】
2006271760.tif 000005
【図４】
2006271760.tif 000006
【図５】
2006271760.tif 000007
【図６】
2006271760.tif 000008
【図７】
2006271760.tif 000009
【図８】
2006271760.tif 000010
【図９】
2006271760.tif 000011
【図１０】
2006271760.tif 000012
【図１１】
2006271760.tif 000013
【図１２】
2006271760.tif 000014